【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
マイクロカプセルであって、そのカプセル壁は、
ａ）以下
ａ１）アミン、および
ａ２）非置換、またはＣ１−Ｃ２０アルキル、ＯＨ、ＯＲ、ＣＯＯＨ、ＳＨ、ＳＲ、ＮＨＣＯＲ、ＯＣＯＲ、ハロゲン、および芳香族基の群からの１つ以上の置換基で置換された、芳香族もしくは複素芳香族化合物であって、ここでＲはＣ１−Ｃ１０アルキル基を示す、芳香族もしくは複素芳香族化合物
の群から選択される少なくとも１つの化合物
を、
ｂ）１分子あたり少なくとも２つのＣ原子を有する、少なくとも１つのアルデヒド成分と、
ｃ）２−アクリルアミド−２−メチルプロパンスルホン酸もしくはその塩（ＡＭＰＳ）および／または２−アクリルアミド−２−メチルプロパンホスホン酸もしくはその塩（ＡＭＰＰ）の単位、ならびに１つ以上の（メタ）アクリレートの単位を含む、少なくとも１つのコポリマー
の存在下で、反応させることによって得ることができる樹脂を含み、
ホルムアルデヒドの使用を含まない、
マイクロカプセル。
【請求項２】
１分子あたり少なくとも２つのアミン基を有する、１つ以上のアミンが、成分ａ）として選択される、請求項１に記載のマイクロカプセル。
【請求項３】
尿素、メラミンおよびベンゾグアナミンの群からの、１つ以上の化合物が、成分ａ）として選択される、請求項１または２に記載のマイクロカプセル。
【請求項４】
１つ以上の芳香族もしくは複素芳香族アルコールおよび／または１つ以上の芳香族もしくは複素芳香族カルボン酸が、成分ａ）として選択される、請求項１に記載のマイクロカプセル。
【請求項５】
芳香族アルコールもしくはそのエーテルまたはその誘導体が、成分ａ）として選択される、請求項１または４に記載のマイクロカプセル。
【請求項６】
前記少なくとも１つの芳香族アルコールは、１分子あたり少なくとも２つの、芳香族に結合したフリーのヒドロキシル基を有する、請求項４または５のいずれかに記載のマイクロカプセル。
【請求項７】
前記少なくとも１つの芳香族アルコールは、２つ以上のヒドロキシル基を有するフェノールから、好ましくはピロカテコール、レゾルシノール、ヒドロキノン、および１，４−ナフトヒドロキノン、フロログルシノール、ピロガロール、およびヒドロキシヒドロキノンから、より好ましくは、レゾルシノール、およびフロログルシノールから選択される、請求項４〜６のいずれかに記載のマイクロカプセル。
【請求項８】
前記アルコールが、その塩、エーテル、またはエステルの形態で存在し、そして前記カルボン酸が、その塩、またはエステルの形態で存在する、請求項４〜７のいずれかに記載のマイクロカプセル。
【請求項９】
成分ａ）が、請求項１〜３のいずれかで定義されるａ１）１つ以上のアミンと、請求項１および４〜８のいずれかで定義されるａ２）１つ以上の芳香族もしくは複素芳香族化合物との混合物を含む、マイクロカプセル。
【請求項１０】
前記アルデヒド成分ｂ）が、脂肪族アルデヒドおよび芳香族アルデヒドから選択される、請求項１〜９のいずれかに記載のマイクロカプセル。
【請求項１１】
前記アルデヒド成分は、バレルアルデヒド、カプロアルデヒド、カプリルアルデヒド、デカナール、スクシンアルデヒド、シクロヘキサンカルバルデヒド、シクロペンタンカルバルデヒド、２−メチル−１−プロパナール、２−メチルプロピオンアルデヒド、アセトアルデヒド、アクロレイン、アルドステロン、アンチマイシンＡ、８’−アポ−β−カロテン−８’−アール、ベンズアルデヒド、ブタナール、クロラール、シトラール、シトロネラール、クロトンアルデヒド、ジメチルアミノベンズアルデヒド、葉酸、ホスミドマイシン、フルフラール、グルタルアルデヒド、グリセルアルデヒド、グリコールアルデヒド、グリオキサール、グリオキシル酸、ヘプタナール、２−ヒドロキシベンズアルデヒド、３−ヒドロキシブタナール、ヒドロキシメチルフルフラール、４−ヒドロキシノネナール、イソブタナール、イソブチルアルデヒド、メタクロレイン、２−メチルウンデカナール、ムコクロル酸、Ｎ−メチルホルムアミド、２−ニトロベンズアルデヒド、ノナナール、オクタナール、オレオカンタール、オーリスタット、ペンタナール、フェニルエタナール、フィコシアニン、ピペロナール、プロパナール、プロペナール、プロトカテクアルデヒド、レチナール、サリチルアルデヒド、セコロガニン、ストレプトマイシン、ストロファンチジン、チロシン、バニリン、および桂皮アルデヒドから選択される、請求項１〜１０のいずれかに記載のマイクロカプセル。
【請求項１２】
前記少なくとも１つのアルデヒド成分は、１分子あたり少なくとも２つのフリーのアルデヒド基を有する、請求項１〜１１のいずれかに記載のマイクロカプセル。
【請求項１３】
前記アルデヒド成分は、グルタルアルデヒド、および／またはスクシンアルデヒドから選択される、請求項１〜１２のいずれかに記載のマイクロカプセル。
【請求項１４】
前記コポリマーが二元重合体または三元重合体である、請求項１〜１３のいずれかに記載のマイクロカプセル。
【請求項１５】
前記コポリマーｃ）が、ＡＭＰＳまたはＡＭＰＰ、好ましくはＡＭＰＳの単位、および１つ以上の（メタ）アクリレートから構成される、請求項１〜１４のいずれかに記載のマイクロカプセル。
【請求項１６】
前記コポリマーｃ）における前記（メタ）アクリレートが、以下：
ａ）４−ヒドロキシブチルアクリレート
【化３０】
2013522000.tif 000001
ｂ）２−ヒドロキシプロピルメタクリレート
【化３１】
2013522000.tif 000002
ｃ）スルファトエチルメタクリレートアンモニウム
【化３２】
2013522000.tif 000003
ｄ）ペンタプロピレングリコールメタクリレート
【化３３】
2013522000.tif 000004
ｅ）アクリル酸
【化３４】
2013522000.tif 000005
ｆ）ヘキサエチレングリコールメタクリレート
【化３５】
2013522000.tif 000006
ｇ）ヘキサプロピレングリコールアクリレート
【化３６】
2013522000.tif 000007
ｈ）ヘキサエチレングリコールアクリレート
【化３７】
2013522000.tif 000008
ｉ）ヒドロキシエチルメタクリレート
【化３８】
2013522000.tif 000009
ｊ）ポリアルキレングリコールメタクリレート（ＣＡＳ  Ｎｏ．５８９−７５−９）
【化３９】
2013522000.tif 000010
ｋ）メトキシ−ポリエチレングリコールメタクリレート
【化４０】
2013522000.tif 000011
ｌ）２−プロピルヘプチルアクリレート（２−ＰＨＡ）
【化４１】
2013522000.tif 000012
ｍ）１，３−ブタンジオールジメタクリレート（ＢＤＤＭＡ）
【化４２】
2013522000.tif 000013
ｎ）トリエチレングリコールジメタクリレート（ＴＥＧＤＭＡ）
【化４３】
2013522000.tif 000014
ｏ）ヒドロキシエチルアクリレート（ＨＥＡ）
【化４４】
2013522000.tif 000015
ｐ）２−ヒドロキシプロピルアクリレート（ＨＰＡ）
【化４５】
2013522000.tif 000016
ｑ）エチレングリコールジメタクリレート（ＥＧＤＭＡ）
【化４６】
2013522000.tif 000017
ｒ）グリシジルメタクリレート（ＧＭＡ）
【化４７】
2013522000.tif 000018
ｓ）アリルメタクリレート（ＡＬＭＡ）
【化４８】
2013522000.tif 000019
ｔ）Ｂｉｓｏｍｅｒ  ＰＥＭ３（ポリエチレングリコールメタクリレート）
【化４９】
2013522000.tif 000020
ｕ）Ｂｉｓｏｍｅｒ  ＩＤＭＡ（イソデシルメタクリレート）
【化５０】
2013522000.tif 000021
ｖ）Ｂｉｓｏｍｅｒ  Ｃ１３ＭＡ（イソトリデシルメタクリレート）
【化５１】
2013522000.tif 000022
ｗ）３−スルホプロピルアクリレート
ｘ）Ｎ−（２−アクリロイルオキシエチル）−Ｎ，Ｎ−ジメチル−Ｎ−（３−スルホプロピル）アンモニウムベタイン
【化５２】
2013522000.tif 000023
ｙ）Ｎ−（２−メタクリロイルオキシエチル）−Ｎ，Ｎ−ジメチル−Ｎ−（３−スルホプロピル）アンモニウムベタイン
【化５３】
2013522000.tif 000024
ｚ）３−スルホプロピルメタクリレート
ｚ１）Ｎ−（３−メタクリルアミドプロピル）−Ｎ，Ｎ−ジメチル−Ｎ−（３−スルホプロピル）アンモニウムベタイン
【化５４】
2013522000.tif 000025
の群から選択される、請求項１または１５に記載のマイクロカプセル。
【請求項１７】
前記コポリマーｃ）が、ビニル化合物、不飽和ジカルボン酸もしくはポリカルボン酸、およびアミル化合物もしくはアリル化合物の塩の群から選択される、１つ以上のさらなるモノマーを含む、請求項１〜１６のいずれかに記載のマイクロカプセル。
【請求項１８】
前記少なくとも１つの成分ａ）の、前記少なくとも１つのアルデヒド成分ｂ）に対するモル比は、１：１〜１：５、好ましくは１：１〜１：３である、請求項１〜１７のいずれかに記載のマイクロカプセル。
【請求項１９】
前記カプセルの表面は、窒素含有剤、酸素含有剤、またはケイ素含有剤で、好ましくは、メラミンで、シリカゲルで、または芳香族アルコールａ）で、後処理される、請求項１〜１８のいずれかに記載のマイクロカプセル。
【請求項２０】
少なくとも１つのコア材料が、前記カプセルに封入される、請求項１〜１９のいずれかに記載のマイクロカプセル。
【請求項２１】
前記カプセルがホルムアルデヒドを含まない、請求項１〜２０のいずれかに記載のマイクロカプセル。
【請求項２２】
請求項１〜２１のいずれかに記載のマイクロカプセルを１つ以上含む、マイクロカプセル分散系。
【請求項２３】
請求項１〜３のいずれかで定義された１つ以上のアミンａ１）、および／または請求項１および４〜８のいずれかで定義された１つ以上の芳香族もしくは複素芳香族化合物ａ２）と、請求項１０〜１３のいずれかで定義されたアルデヒド成分ｂ）とを反応させて、マイクロカプセルのカプセル壁を形成するための、請求項１および１４〜１７のいずれかで定義されたコポリマーｃ）の使用。
【請求項２４】
請求項１〜２１の１つ以上に記載のマイクロカプセル、または請求項２２に記載のマイクロカプセル分散系を生成する方法であって、
ａ）請求項１〜３のいずれかで定義された１つ以上のアミンａ１）、および／または請求項１および４〜８のいずれかで定義された１つ以上の芳香族もしくは複素芳香族化合物ａ２）を、請求項１および１４〜１７のいずれかで定義されたコポリマーｃ）の存在下で、必要に応じてコア材料の存在下で、アルデヒド成分ｂ）と合わせ、および反応させて、そして
ｂ）その後、温度の上昇によって、該カプセルの硬化が起こる、
方法。
【請求項２５】
前記方法の過程において、ｐＨが変化する、請求項２４に記載のマイクロカプセルまたはマイクロカプセル分散系を生成する方法。
【請求項２６】
アルカリ度が、アルカリ金属塩、好ましくはアルカリ金属炭酸塩、より詳細には炭酸ナトリウムを用いて調整される、請求項２４および２５のうちの１つまたは両方に記載のマイクロカプセルまたはマイクロカプセル分散系を生成する方法。
【請求項２７】
成分ａ）と、前記アルデヒドｂ）および前記コポリマーｃ）との反応の間、撹拌が行われる、請求項２４〜２６のいずれかに記載のマイクロカプセルまたはマイクロカプセル分散系を生成する方法。
【請求項２８】
撹拌スピードが、前記アルカリ度を上げる直前またはその間に、上昇される、請求項２６および２７のうちの１つまたは両方に記載のマイクロカプセルまたはマイクロカプセル分散系を生成する方法。
【請求項２９】
前記上昇された撹拌スピードは、混合物の粘度の値が低下するまで維持され、該撹拌スピードは、粘度の低下の開始後に、低下される、請求項２８に記載のマイクロカプセルまたはマイクロカプセル分散系を生成する方法。
【請求項３０】
前記粘度の低下の開始後、温度上昇が起こる間に前記カプセルが硬化する前に、撹拌が、少なくとも２０分間、好ましくは、３０〜１８０分間続けられる、請求項２９に記載のマイクロカプセルまたはマイクロカプセル分散系を生成する方法。
【請求項３１】
親水性または疎水性活性成分の放出のための、請求項１〜２１の１つ以上に記載のマイクロカプセル、または請求項２２に記載のマイクロカプセル分散系の使用であって、該親水性または疎水性活性成分は、芳香剤、香料、色素、潜在性蓄熱材料、溶媒、触媒、コーティング系、反応性（メタ）アクリレート、エン成分、活性抗菌成分、潤滑剤、滑剤、活性薬剤成分、活性美容成分、自己回復剤、ワックス、および殺虫剤（例えば、殺真菌剤、除草剤、または昆虫忌避剤）の群から好ましくは選択される、使用。
【請求項３２】
請求項１〜２１の１つ以上に記載のマイクロカプセル、または請求項２２に記載のマイクロカプセル分散系を含む製品。
【請求項３３】
コーティング、塗料技術、建築化学物質、触媒技術、腐食制御、歯科技術、自己回復系、化粧品、薬学、洗濯、掃除、消毒、接着結合、植物の処置（好ましくは殺真菌剤、殺虫剤、昆虫忌避剤または除草剤として）、または医学技術の分野から選択される用途の少なくとも１つの領域における、請求項３２に記載の製品の使用。
【請求項３４】
ＡＭＰＳ由来の単位、ならびに以下
Ｂｉｓｏｍｅｒ  ＰＥＭ３（ポリエチレングリコールメタクリレート）
【化５５】
2013522000.tif 000026
Ｂｉｓｏｍｅｒ  ＩＤＭＡ（イソデシルメタクリレート）
【化５６】
2013522000.tif 000027
Ｂｉｓｏｍｅｒ  Ｃ１３ＭＡ（イソトリデシルメタクリレート）
【化５７】
2013522000.tif 000028
３−スルホプロピルアクリレート
Ｎ−（２−アクリロイルオキシエチル）−Ｎ，Ｎ−ジメチル−Ｎ−（３−スルホプロピル）アンモニウムベタイン
【化５８】
2013522000.tif 000029
Ｎ−（２−メタクリロイルオキシエチル）−Ｎ，Ｎ−ジメチル−Ｎ−（３−スルホプロピル）アンモニウムベタイン
【化５９】
2013522000.tif 000030
３−スルホプロピルメタクリレート
および
Ｎ−（３−メタクリルアミドプロピル）−Ｎ，Ｎ−ジメチル−Ｎ−（３−スルホプロピル）アンモニウムベタイン
【化６０】
2013522000.tif 000031
の群からの１つ以上のメタクリレートを含む、コポリマー。
【手続補正２】
【補正対象書類名】明細書
【補正対象項目名】００２２
【補正方法】変更
【補正の内容】
【００２２】
そのようなマイクロカプセル分散系の生成は、適当な予備縮合物の使用によって、しかしまたインサイツにおけるワンポット手順においても達成される。
一実施形態において、例えば、以下の項目が提供される。
（項目１）
マイクロカプセルであって、そのカプセル壁は、
ａ）以下
ａ１）アミン、および
ａ２）非置換、またはＣ１−Ｃ２０アルキル、ＯＨ、ＯＲ、ＣＯＯＨ、ＳＨ、ＳＲ、ＮＨＣＯＲ、ＯＣＯＲ、ハロゲン、および芳香族基の群からの１つ以上の置換基で置換された、芳香族もしくは複素芳香族化合物であって、ここでＲはＣ１−Ｃ１０アルキル基を示す、芳香族もしくは複素芳香族化合物
の群から選択される少なくとも１つの化合物
を、
ｂ）１分子あたり少なくとも２つのＣ原子を有する、少なくとも１つのアルデヒド成分と、
ｃ）２−アクリルアミド−２−メチルプロパンスルホン酸もしくはその塩（ＡＭＰＳ）および／または２−アクリルアミド−２−メチルプロパンホスホン酸もしくはその塩（ＡＭＰＰ）の単位、ならびに１つ以上の（メタ）アクリレートの単位を含む、少なくとも１つのコポリマー
の存在下で、反応させることによって得ることができる樹脂を含む、
マイクロカプセル。
（項目２）
１分子あたり少なくとも２つのアミン基を有する、１つ以上のアミンが、成分ａ）として選択される、項目１に記載のマイクロカプセル。
（項目３）
尿素、メラミンおよびベンゾグアナミンの群からの、１つ以上の化合物が、成分ａ）として選択される、項目１または２に記載のマイクロカプセル。
（項目４）
１つ以上の芳香族もしくは複素芳香族アルコールおよび／または１つ以上の芳香族もしくは複素芳香族カルボン酸が、成分ａ）として選択される、項目１に記載のマイクロカプセル。
（項目５）
芳香族アルコールもしくはエーテルまたはその誘導体が、成分ａ）として選択される、項目１または４に記載のマイクロカプセル。
（項目６）
前記少なくとも１つの芳香族アルコールは、１分子あたり少なくとも２つの、芳香族に結合したフリーのヒドロキシル基を有する、項目４または５のいずれかに記載のマイクロカプセル。
（項目７）
前記少なくとも１つの芳香族アルコールは、２つ以上のヒドロキシル基を有するフェノールから、好ましくはピロカテコール、レゾルシノール、ヒドロキノン、および１，４−ナフトヒドロキノン、フロログルシノール、ピロガロール、およびヒドロキシヒドロキノンから、より好ましくは、レゾルシノール、およびフロログルシノールから選択される、項目４〜６のいずれかに記載のマイクロカプセル。
（項目８）
前記アルコールが、その塩、エーテル、またはエステルの形態で存在し、そして前記カルボン酸が、その塩、またはエステルの形態で存在する、項目４〜７のいずれかに記載のマイクロカプセル。
（項目９）
成分ａ）が、項目１〜３のいずれかで定義されるａ１）１つ以上のアミンと、項目１および４〜８のいずれかで定義されるａ２）１つ以上の芳香族もしくは複素芳香族化合物との混合物を含む、マイクロカプセル。
（項目１０）
前記アルデヒド成分ｂ）が、脂肪族アルデヒドおよび芳香族アルデヒドから選択される、前記項目のいずれかに記載のマイクロカプセル。
（項目１１）
前記アルデヒド成分は、バレルアルデヒド、カプロアルデヒド、カプリルアルデヒド、デカナール、スクシンアルデヒド、シクロヘキサンカルバルデヒド、シクロペンタンカルバルデヒド、２−メチル−１−プロパナール、２−メチルプロピオンアルデヒド、アセトアルデヒド、アクロレイン、アルドステロン、アンチマイシンＡ、８’−アポ−β−カロテン−８’−アール、ベンズアルデヒド、ブタナール、クロラール、シトラール、シトロネラール、クロトンアルデヒド、ジメチルアミノベンズアルデヒド、葉酸、ホスミドマイシン、フルフラール、グルタルアルデヒド、グリセルアルデヒド、グリコールアルデヒド、グリオキサール、グリオキシル酸、ヘプタナール、２−ヒドロキシベンズアルデヒド、３−ヒドロキシブタナール、ヒドロキシメチルフルフラール、４−ヒドロキシノネナール、イソブタナール、イソブチルアルデヒド、メタクロレイン、２−メチルウンデカナール、ムコクロル酸、Ｎ−メチルホルムアミド、２−ニトロベンズアルデヒド、ノナナール、オクタナール、オレオカンタール、オーリスタット、ペンタナール、フェニルエタナール、フィコシアニン、ピペロナール、プロパナール、プロペナール、プロトカテクアルデヒド、レチナール、サリチルアルデヒド、セコロガニン、ストレプトマイシン、ストロファンチジン、チロシン、バニリン、および桂皮アルデヒドから選択される、前記項目のいずれかに記載のマイクロカプセル。
（項目１２）
前記少なくとも１つのアルデヒド成分は、１分子あたり少なくとも２つのフリーのアルデヒド基を有する、前記項目のいずれかに記載のマイクロカプセル。
（項目１３）
前記アルデヒド成分は、グルタルアルデヒド、および／またはスクシンアルデヒドから選択される、前記項目のいずれかに記載のマイクロカプセル。
（項目１４）
前記コポリマーが二元重合体または三元重合体である、前記項目のいずれかに記載のマイクロカプセル。
（項目１５）
前記コポリマーｃ）が、ＡＭＰＳまたはＡＭＰＰ、好ましくはＡＭＰＳの単位、および１つ以上の（メタ）アクリレートから構成される、前記項目のいずれかに記載のマイクロカプセル。
（項目１６）
前記コポリマーｃ）における前記（メタ）アクリレートが、以下：
ａ）４−ヒドロキシブチルアクリレート
【化３０】
2013522000.tif 000032
ｂ）２−ヒドロキシプロピルメタクリレート
【化３１】
2013522000.tif 000033
ｃ）スルファトエチルメタクリレートアンモニウム
【化３２】
2013522000.tif 000034
ｄ）ペンタプロピレングリコールメタクリレート
【化３３】
2013522000.tif 000035
ｅ）アクリル酸
【化３４】
2013522000.tif 000036
ｆ）ヘキサエチレングリコールメタクリレート
【化３５】
2013522000.tif 000037
ｇ）ヘキサプロピレングリコールアクリレート
【化３６】
2013522000.tif 000038
ｈ）ヘキサエチレングリコールアクリレート
【化３７】
2013522000.tif 000039
ｉ）ヒドロキシエチルメタクリレート
【化３８】
2013522000.tif 000040
ｊ）ポリアルキレングリコールメタクリレート（ＣＡＳ  Ｎｏ．５８９−７５−９）
【化３９】
2013522000.tif 000041
ｋ）メトキシ−ポリエチレングリコールメタクリレート
【化４０】
2013522000.tif 000042
ｌ）２−プロピルヘプチルアクリレート（２−ＰＨＡ）
【化４１】
2013522000.tif 000043
ｍ）１，３−ブタンジオールジメタクリレート（ＢＤＤＭＡ）
【化４２】
2013522000.tif 000044
ｎ）トリエチレングリコールジメタクリレート（ＴＥＧＤＭＡ）
【化４３】
2013522000.tif 000045
ｏ）ヒドロキシエチルアクリレート（ＨＥＡ）
【化４４】
2013522000.tif 000046
ｐ）２−ヒドロキシプロピルアクリレート（ＨＰＡ）
【化４５】
2013522000.tif 000047
ｑ）エチレングリコールジメタクリレート（ＥＧＤＭＡ）
【化４６】
2013522000.tif 000048
ｒ）グリシジルメタクリレート（ＧＭＡ）
【化４７】
2013522000.tif 000049
ｓ）アリルメタクリレート（ＡＬＭＡ）
【化４８】
2013522000.tif 000050
ｔ）Ｂｉｓｏｍｅｒ  ＰＥＭ３（ポリエチレングリコールメタクリレート）
【化４９】
2013522000.tif 000051
ｕ）Ｂｉｓｏｍｅｒ  ＩＤＭＡ（イソデシルメタクリレート）
【化５０】
2013522000.tif 000052
ｖ）Ｂｉｓｏｍｅｒ  Ｃ１３ＭＡ（イソトリデシルメタクリレート）
【化５１】
2013522000.tif 000053
ｗ）３−スルホプロピルアクリレート
ｘ）Ｎ−（２−アクリロイルオキシエチル）−Ｎ，Ｎ−ジメチル−Ｎ−（３−スルホプロピル）アンモニウムベタイン
【化５２】
2013522000.tif 000054
ｙ）Ｎ−（２−メタクリロイルオキシエチル）−Ｎ，Ｎ−ジメチル−Ｎ−（３−スルホプロピル）アンモニウムベタイン
【化５３】
2013522000.tif 000055
ｚ）３−スルホプロピルメタクリレート
ｚ１）Ｎ−（３−メタクリルアミドプロピル）−Ｎ，Ｎ−ジメチル−Ｎ−（３−スルホプロピル）アンモニウムベタイン
【化５４】
2013522000.tif 000056
の群から選択される、項目１または１５に記載のマイクロカプセル。
（項目１７）
前記コポリマーｃ）が、ビニル化合物、不飽和ジカルボン酸もしくはポリカルボン酸、およびアミル化合物もしくはアリル化合物の塩の群から選択される、１つ以上のさらなるモノマーを含む、前記項目のいずれかに記載のマイクロカプセル。
（項目１８）
前記少なくとも１つの成分ａ）の、前記少なくとも１つのアルデヒド成分ｂ）に対するモル比は、１：１〜１：５、好ましくは１：１〜１：３である、前記項目のいずれかに記載のマイクロカプセル。
（項目１９）
前記カプセルの表面は、窒素含有剤、酸素含有剤、またはケイ素含有剤で、好ましくは、メラミンで、シリカゲルで、または芳香族アルコールａ）で、後処理される、前記項目のいずれかに記載のマイクロカプセル。
（項目２０）
少なくとも１つのコア材料が、前記カプセルに封入される、前記項目のいずれかに記載のマイクロカプセル。
（項目２１）
前記カプセルがホルムアルデヒドを含まない、前記項目のいずれかに記載のマイクロカプセル。
（項目２２）
前記項目のいずれかに記載のマイクロカプセルを１つ以上含む、マイクロカプセル分散系。
（項目２３）
項目１〜３のいずれかで定義された１つ以上のアミンａ１）、および／または項目１および４〜８のいずれかで定義された１つ以上の芳香族もしくは複素芳香族化合物ａ２）と、項目１０〜１３のいずれかで定義されたアルデヒド成分ｂ）とを反応させて、マイクロカプセルのカプセル壁を形成するための、項目１および１４〜１７のいずれかで定義されたコポリマーｃ）の使用。
（項目２４）
項目１〜２１の１つ以上に記載のマイクロカプセル、または項目２２に記載のマイクロカプセル分散系を生成する方法であって、
ａ）項目１〜３のいずれかで定義された１つ以上のアミンａ１）、および／または項目１および４〜８のいずれかで定義された１つ以上の芳香族もしくは複素芳香族化合物ａ２）を、項目１および１４〜１７のいずれかで定義されたコポリマーｃ）の存在下で、必要に応じてコア材料の存在下で、アルデヒド成分ｂ）と合わせ、および反応させて、そして
ｂ）その後、温度の上昇によって、該カプセルの硬化が起こる、
方法。
（項目２５）
前記方法の過程において、ｐＨが変化する、項目２４に記載のマイクロカプセルまたはマイクロカプセル分散系を生成する方法。
（項目２６）
アルカリ度が、アルカリ金属塩、好ましくはアルカリ金属炭酸塩、より詳細には炭酸ナトリウムを用いて調整される、項目２４および２５のうちの１つまたは両方に記載のマイクロカプセルまたはマイクロカプセル分散系を生成する方法。
（項目２７）
成分ａ）と、前記アルデヒドｂ）および前記コポリマーｃ）との反応の間、撹拌が行われる、項目２４〜２６のいずれかに記載のマイクロカプセルまたはマイクロカプセル分散系を生成する方法。
（項目２８）
撹拌スピードが、前記アルカリ度を上げる直前またはその間に、上昇される、項目２６および２７のうちの１つまたは両方に記載のマイクロカプセルまたはマイクロカプセル分散系を生成する方法。
（項目２９）
前記上昇された撹拌スピードは、混合物の粘度の値が低下するまで維持され、該撹拌スピードは、粘度の低下の開始後に、低下される、項目２８に記載のマイクロカプセルまたはマイクロカプセル分散系を生成する方法。
（項目３０）
前記粘度の低下の開始後、温度上昇が起こる間に前記カプセルが硬化する前に、撹拌が、少なくとも２０分間、好ましくは、３０〜１８０分間続けられる、項目２９に記載のマイクロカプセルまたはマイクロカプセル分散系を生成する方法。
（項目３１）
親水性または疎水性活性成分の放出のための、項目１〜２１の１つ以上に記載のマイクロカプセル、または項目２２に記載のマイクロカプセル分散系の使用であって、該親水性または疎水性活性成分は、芳香剤、香料、色素、潜在性蓄熱材料、溶媒、触媒、コーティング系、反応性（メタ）アクリレート、エン成分、活性抗菌成分、潤滑剤、滑剤、活性薬剤成分、活性美容成分、自己回復剤、ワックス、および殺虫剤（例えば、殺真菌剤、除草剤、または昆虫忌避剤）の群から好ましくは選択される、使用。
（項目３２）
項目１〜２１の１つ以上に記載のマイクロカプセル、または項目２２に記載のマイクロカプセル分散系を含む製品。
（項目３３）
コーティング、塗料技術、建築化学物質、触媒技術、腐食制御、歯科技術、自己回復系、化粧品、薬学、洗濯、掃除、消毒、接着結合、植物の処置（好ましくは殺真菌剤、殺虫剤、昆虫忌避剤または除草剤として）、または医学技術の分野から選択される用途の少なくとも１つの領域における、項目３２に記載の製品の使用。
（項目３４）
ＡＭＰＳ由来の単位、ならびに以下
Ｂｉｓｏｍｅｒ  ＰＥＭ３（ポリエチレングリコールメタクリレート）
【化５５】
2013522000.tif 000057
Ｂｉｓｏｍｅｒ  ＩＤＭＡ（イソデシルメタクリレート）
【化５６】
2013522000.tif 000058
Ｂｉｓｏｍｅｒ  Ｃ１３ＭＡ（イソトリデシルメタクリレート）
【化５７】
2013522000.tif 000059
３−スルホプロピルアクリレート
Ｎ−（２−アクリロイルオキシエチル）−Ｎ，Ｎ−ジメチル−Ｎ−（３−スルホプロピル）アンモニウムベタイン
【化５８】
2013522000.tif 000060
Ｎ−（２−メタクリロイルオキシエチル）−Ｎ，Ｎ−ジメチル−Ｎ−（３−スルホプロピル）アンモニウムベタイン
【化５９】
2013522000.tif 000061
３−スルホプロピルメタクリレート
および
Ｎ−（３−メタクリルアミドプロピル）−Ｎ，Ｎ−ジメチル−Ｎ−（３−スルホプロピル）アンモニウムベタイン
【化６０】
2013522000.tif 000062
の群からの１つ以上のメタクリレートを含む、コポリマー。